(57)【特許請求の範囲】
【請求項１】
第１〜第ｎ（ｎ≧２）の光スプリッタを介して接続された複数の加入者側装置と上位装置との間でフレームを転送処理する局側装置であって、
前記第１〜第ｎの光スプリッタに１対１で接続され、前記加入者側装置への下りフレームに係る電気信号の光信号への変換と、前記加入者側装置からの上りフレームに係る光信号の電気信号への変換とを行うとともに、前記上りフレームに係る光信号が入力されているか否かを示す２値のＬＯＳ信号を出力する第１〜第Ｎの光トランシーバと、
前記上位装置との間で前記上りフレームおよび前記下りフレームをやり取りするとともに、前記各加入者側装置から異なる時刻に前記上りフレームが送信されるよう、これら各加入者側装置に対して上りフレーム送信用の通信帯域を時分割で割り当てるＰＯＮ制御回路と、
前記第１〜第Ｎの光トランシーバの上りフレームから１つの光トランシーバの上りフレームを選択して前記ＰＯＮ制御回路に対して出力するとともに、前記ＰＯＮ制御回路からの下りフレームを前記第１〜第ｎの光トランシーバに対して出力する選択・分配回路と、を備え、
前記選択・分配回路は、
前記光トランシーバ毎に対応して設けられ、対応する前記ＬＯＳ信号の論理値が一定である状態が所定期間継続したか否かを判定し、前記ＬＯＳ信号の論理値が所定期間継続した場合に、その継続した論理値に対応する判定信号を出力する判定部と、
前記判定部から出力された前記判定信号に基づいて、前記第１〜第ｎの光トランシーバの上りフレームから１つの光トランシーバの上りフレームを選択して出力する選択回路と、を有する
ことを特徴とする局側装置。
【請求項２】
請求項１に記載された局側装置において、
前記第１〜第Ｎの光トランシーバは、
上りフレームの出力ポートとして、１０Ｇｂｉｔ／ｓ用の出力ポートと１Ｇｂｉｔ／ｓ用の出力ポートとを備え、
前記選択・分配回路は、
前記ＰＯＮ制御回路からの選択信号を受けて、前記第１〜第ｎの光トランシーバの上りフレームとして、その光トランシーバの１０Ｇｂｉｔ／ｓ用の出力ポートおよび１Ｇｂｉｔ／ｓ用の出力ポートの何れか一方の出力ポートからの上りフレームを選択する第１〜第Ｎのセレクタを備え、
前記選択回路は、前記判定部から出力された前記判定信号に基づいて、前記第１〜第ｎのセレクタによって選択された上りフレームから１つの上りフレームを選択して出力する
ことを特徴とする局側装置。
【請求項３】
請求項１に記載された光伝送システムにおける局側装置において、
前記第１〜第ｎの光トランシーバは、
上りフレームの出力ポートとして、１０Ｇｂｉｔ／ｓ用の出力ポートと１Ｇｂｉｔ／ｓ用の出力ポートとを備え、
前記選択回路は、
前記判定部から出力された前記判定信号に基づいて、前記第１〜第ｎの光トランシーバの１０Ｇｂｉｔ／ｓ用の出力ポートから出力された上りフレームのうち、１つの光トランシーバの上りフレームを選択して前記ＰＯＮ制御回路に対して出力する第１選択回路と、
前記判定部から出力された前記判定信号に基づいて、前記第１〜第ｎの光トランシーバの１Ｇｂｉｔ／ｓ用の出力ポートから出力された上りフレーム出力のうち、１つの光トランシーバの上りフレーム出力を選択して前記ＰＯＮ制御回路に対して出力する第２選択回路と、を含む
ことを特徴とする局側装置。
【請求項４】
請求項１乃至３の何れか一項に記載された局側装置において、
前記判定部は、
前記ＬＯＳ信号が第１論理値である期間が第１閾値を超えた場合に、前記判定信号を第２論理値から前記第１論理値に切り替え、前記ＬＯＳ信号が前記第２論理値である期間が第２閾値を超えた場合に、前記判定信号を前記第１論理値から前記第２論理値に切り替える
ことを特徴とする局側装置。
【請求項５】
請求項１乃至４の何れか一項に記載された局側装置において、
前記判定部は、
当該判定部以外の全ての前記判定信号が、前記光信号が入力されていないことを示す論理値である場合に、対応する前記ＬＯＳ信号の論理値の判定結果に応じた前記判定信号を出力し、当該判定部以外の前記判定信号の少なくとも一つが、前記光信号が入力されていることを示す論理値である場合に、前記光信号が入力されていないことを示す論理値の前記判定信号を出力する
ことを特徴とする局側装置。
【請求項６】
請求項４に記載された局側装置において、
前記光トランシーバは、前記光信号が入力されている場合に前記第１論理値の前記ＬＯＳ信号を出力し、前記光信号が入力されていない場合に前記第２論理値の前記ＬＯＳ信号を出力し、
前記第２閾値は、前記第１閾値よりも大きい
ことを特徴とする局側装置。
【請求項７】
請求項１乃至６の何れか一項に記載された局側装置と、
前記第１〜第ｎの光スプリッタと、
前記第１〜第ｎの光スプリッタを介して接続された複数の前記加入者側装置と、
を備える光伝送システム。
【発明の詳細な説明】
【技術分野】
【０００１】
本発明は、ＰＯＮ（光通信網：Ｐａｓｓｉｖｅ  Ｏｐｔｉｃａｌ  Ｎｅｔｗｏｒｋ）を介して接続された複数のＯＮＵ（加入者側装置：Ｏｐｔｉｃａｌ  Ｎｅｔｗｏｒｋ  Ｕｎｉｔ）と上位装置との間でフレームを転送処理する光伝送システムにおけるＯＬＴ（局側装置：Ｏｐｔｉｃａｌ  Ｌｉｎｅ  Ｔｅｒｍｉｎａｌ）、および当該局側装置を含む光伝送システムに関し、特に、多数のＯＮＵとの効率的な通信を可能とするＯＬＴ及び光伝送システムに関するものである。
【背景技術】
【０００２】
近年、ＦＴＴＨ（Ｆｉｂｅｒ  Ｔｏ  Ｔｈｅ  Ｈｏｍｅ）などの光アクセスシステムで利用されるＰＯＮとして、２００９年にＩＥＥＥ８０２．３ａｖにおいて１０Ｇ−ＥＰＯＮ（１０  Ｇｉｇａｂｉｔ  Ｅｔｈｅｒｎｅｔ  Ｐａｓｓｉｖｅ  Ｏｐｔｉｃａｌ  Ｎｅｔｗｏｒｋ：Ｅｔｈｅｒｎｅｔは登録商標）の標準化が完了した。１０Ｇ−ＥＰＯＮの特徴は、既に広く普及しているＧＥ−ＰＯＮ（Ｇｉｇａｂｉｔ  Ｅｔｈｅｒｎｅｔ  Ｐａｓｓｉｖｅ  Ｏｐｔｉｃａｌ  Ｎｅｔｗｏｒｋ：非特許文献１参照）の１０倍の高速伝送が可能なことである。さらに、既存のＧＥ−ＰＯＮと１０Ｇ−ＥＰＯＮを混在させて利用できるという特徴がある。
【０００３】
ＧＥ−ＰＯＮと１０Ｇ−ＥＰＯＮを混在させて利用する場合、下り信号伝送においては、１Ｇ下り信号と１０Ｇ下り信号で異なる波長を使用するＷＤＭ（Ｗａｖｅｌｅｎｇｔｈ  Ｄｉｖｉｓｉｏｎ  Ｍｕｌｔｉｐｌｅｘｉｎｇ）技術を用い、１Ｇ下り信号間と１０Ｇ下り信号間の夫々においてＴＤＭ（Ｔｉｍｅ  Ｄｉｖｉｓｉｏｎ  Ｍｕｌｔｉｐｌｅｘｉｎｇ  ）技術を用いる。一方、上り信号伝送においては、１Ｇ上り信号と１０Ｇ上り信号で同一の波長を使用し、１Ｇ上り信号と１０Ｇ上り信号をまとめてＴＤＭＡ（Ｔｉｍｅ  Ｄｉｖｉｓｉｏｎ  Ｍｕｌｔｉｐｌｅ  Ａｃｃｅｓｓ）技術を用いる。すなわち、１Ｇ下り信号、１０Ｇ下り信号、および、上り信号で異なる３種類の波長を用いる。
【０００４】
このようなＧＥ−ＰＯＮや１０Ｇ−ＥＰＯＮを用いた光伝送システムを、ＧＥ−ＰＯＮシステムや１０Ｇ−ＥＰＯＮシステムと呼ぶ。
図９は、従来のＧＥ−ＰＯＮシステムの構成例を示す図である。同図に示されるＧＥ−ＰＯＮシステム９００は、ＯＬＴ（局側装置）９０、光スプリッタ９１、および複数のＯＮＵ（加入者側装置）９２から構成されており、光スプリッタ２を介して接続された複数のＯＮＵ３がＯＬＴ９０に収容されている。
【０００５】
図９に示されるように、ＧＥ−ＰＯＮ用のＯＬＴ９０は、光トランシーバ９１とＰＯＮ制御回路９２とを内蔵している。ＯＬＴ９０において、光トランシーバ９１は、光トランシーバ９１に接続されたＯＮＵ９２への下りフレームに係る電気信号を光信号に変換する電気−光変換と、ＯＮＵ９２からの上りフレームに係る光信号を電気信号に変換する光−電気変換を行う。ＰＯＮ制御回路９２は、光トランシーバ９１で受信したＯＮＵ３からの上りフレームを上位装置（図示せず）へ転送し、上位装置から受信した下りフレームを光トランシーバ９１へ転送する。
【０００６】
ＯＬＴ９０において、１個の光トランシーバ９１に接続可能なＯＮＵ９２の台数は最大で３２台とＩＥＥＥ規格で規定されている。そのため、ＯＮＵ９２を収容する局として３３台以上のＯＮＵ９２を接続する必要がある場合は、図１０に示すように、ＯＬＴ９０とＯＮＵ９２との間に複数の光スプリッタ９１を設け、複数の光トランシーバ９１＿１〜９１＿ｍと、複数のＰＯＮ制御回路９２＿１〜９２＿ｍとを使用する構成が一般的な構成となる。
【０００７】
１０Ｇ−ＥＰＯＮシステムにおいても１個の光トランシーバに接続可能なＯＮＵの台数は最大で３２台とＩＥＥＥ規格で規定されているが、１０Ｇ−ＥＰＯＮ用のＰＯＮ制御装置はＧＥ−ＰＯＮ用のＰＯＮ制御装置より高性能（１０倍のデータ転送速度）が要求され、装置のコスト（装置の購入価格等）も高くなる。したがって、１０Ｇ−ＥＰＯＮシステムを採用するためには、ＯＮＵ１台あたりのシステムコストをできるだけ小さくすることが課題となっている。例えば、特許文献１には、光増幅器を使用することにより、１個の光トランシーバに３３台以上のＯＮＵを接続可能とする技術が提案されている。
【先行技術文献】
【特許文献】
【０００８】
【特許文献１】特開２０１２−１９３５３号公報
【非特許文献】
【０００９】
【非特許文献１】「技術基礎講座〔ＧＥ−ＰＯＮ技術〕第１回  ＰＯＮとは」、ＮＴＴ技術ジャーナル、Ｖｏｌ．１７、Ｎｏ．８、ｐｐ．７１−７４、２００５．
【発明の概要】
【発明が解決しようとする課題】
【００１０】
しかしながら、特許文献１に記載の技術のように光増幅器を用いた場合、光増幅器のコストが電気回路用の部品（ＬＳＩ等）と比較すると高くなるという課題がある。
そこで、本願発明者らは、本願に先立って、光増幅器を用いることなく、ＯＮＵ１台あたりのシステムコストを小さくする手法を検討した。具体的には、ＯＬＴにおいて、Ｎ（Ｎは２以上の整数）個の光トランシーバとＰＯＮ制御回路との間に、Ｎ個の光トランシーバの上りフレームから１つの光トランシーバの上りフレームを選択してＰＯＮ制御回路に対して出力するとともに、ＰＯＮ制御回路の下りフレームをＮ個の光トランシーバに対して出力する選択・分配回路を設けることを検討した。
【００１１】
この先行検討例によれば、ＯＬＴに“Ｎ×３２”台のＯＮＵを収容させることが可能となり、ＯＮＵ１台あたりのシステムコストを従来のＰＯＮシステムよりも小さくすることが可能となる。
しかしながら、上述した先行検討例に係るＯＬＴでは、上記選択・分配回路が、各光トランシーバから出力される、光トランシーバに光信号が入力されているか否かを示す信号（以下、「ＬＯＳ（Ｌｏｓｓ  Ｏｆ  Ｓｉｇｎａｌ）信号」と称する。）に基づいて、ＰＯＮ制御回路に出力すべき一つの光トランシーバの上りフレームを選択しているため、例えばＥＭＩノイズ等によりＬＯＳ信号が変動した場合、上記選択・分配回路が誤動作するおそれがある。例えば、ノイズによりＬＯＳ信号が変動すると、本来選択すべき光トランシーバとは異なる光トランシーバのフレームが選択されたり、複数の光トランシーバの上りフレームが同時に選択されたりする虞がある。
【００１２】
本発明は、上記の問題に鑑みてなされたものであり、本発明の目的は、ＬＯＳ信号に基づいて光トランシーバからの上りフレームを選択するＯＬＴにおいて、ＬＯＳ信号の変動による誤動作を防止することにある。
【課題を解決するための手段】
【００１３】
本発明に係る局側装置（１、４、５）は、第１〜第ｎ（ｎ≧２）の光スプリッタ（２＿１〜２＿ｎ）を介して接続された複数の加入者側装置（３）と上位装置との間でフレームを転送処理する局側装置であって、前記第１〜第ｎの光スプリッタに１対１で接続され、前記加入者側装置への下りフレームに係る電気信号の光信号への変換と、前記加入者側装置からの上りフレームに係る光信号の電気信号への変換とを行うとともに、前記上りフレームに係る光信号が入力されているか否かを示す２値のＬＯＳ信号（１４＿１〜１４＿ｎ）を出力する第１〜第Ｎの光トランシーバ（１１＿１〜１１＿ｎ、４１＿１〜４１＿ｎ）と、前記上位装置との間で前記上りフレームおよび前記下りフレームをやり取りするとともに、前記各加入者側装置から異なる時刻に前記上りフレームが送信されるよう、これら各加入者側装置に対して上りフレーム送信用の通信帯域を時分割で割り当てるＰＯＮ制御回路（１２、４２、５２）と、前記第１〜第Ｎの光トランシーバの上りフレームから１つの光トランシーバの上りフレームを選択して前記ＰＯＮ制御回路に対して出力するとともに、前記ＰＯＮ制御回路からの下りフレームを前記第１〜第ｎの光トランシーバに対して出力する選択・分配回路（１３、２３、４３、５３）と、を備え、前記選択・分配回路は、前記光トランシーバ毎に対応して設けられ、対応する前記ＬＯＳ信号の論理値が一定である状態が所定期間継続したか否かを判定し、前記ＬＯＳ信号の論理値が所定期間継続した場合に、その継続した論理値に対応する判定信号を出力する判定部（１５＿１〜１５＿ｎ）と、前記判定部から出力された前記判定信号に基づいて、前記第１〜第ｎの光トランシーバの上りフレームから１つの光トランシーバの上りフレームを選択して出力する選択回路（１７、２７、４７、５３０、５３１）と、を有することを特徴とする。
【００１４】
上記局側装置において、前記判定部は、前記ＬＯＳ信号が第１論理値（ローレベル：０）である期間が第１閾値（Ｖｄｆ）を超えた場合に、前記判定信号を第２論理値（ハイレベル：１）から前記第１論理値に切り替え、前記ＬＯＳ信号が前記第２論理値である期間が第２閾値（Ｖｄｒ）を超えた場合に、前記判定信号を前記第１論理値から前記第２論理値に切り替えるようにしてもよい。
【００１５】
上記局側装置において、前記判定部（１５Ｂ）は、当該判定部以外の全ての前記判定信号が、前記光信号が入力されていないことを示す論理値（ハイレベル：１）である場合に、対応する前記ＬＯＳ信号の論理値の判定結果に応じた前記判定信号を出力し、当該判定部以外の前記判定信号の少なくとも一つが、前記光信号が入力されていることを示す論理値（ローレベル：０）である場合に、前記光信号が入力されていないことを示す論理値（ハイレベル：１）の前記判定信号を出力するようにしてもよい。
【００１６】
上記局側装置において、前記光トランシーバは、前記光信号が入力されている場合に前記第１論理値の前記ＬＯＳ信号を出力し、前記光信号が入力されていない場合に前記第２論理値の前記ＬＯＳ信号を出力し、前記第２閾値（Ｖｄｒ）は、前記第１閾値（Ｖｄｆ）よりも大きくなるようにしてもよい。
【００１７】
本発明に係る光伝送システム（１００）は、上記局側装置（１、４、５）と、第１〜第ｎの光スプリッタ（２＿１〜２＿ｎ）と、第１〜第ｎの光スプリッタを介して接続された複数の加入者側装置（３）と、を備えることを特徴とする。
【００１８】
なお、上記説明では、一例として、発明の構成要素に対応する図面上の構成要素を括弧を付した参照符号によって表している。
【発明の効果】
【００１９】
本発明によれば、ＬＯＳ信号に基づいて光トランシーバからの上りフレームを選択するＯＬＴにおいて、ＬＯＳ信号の変動による誤動作を防止することができる。
【図面の簡単な説明】
【００２０】
【図１】図１は、実施の形態１に係る局側装置（ＯＬＴ）を備えたＰＯＮシステムの構成を示す図である。
【図２】図２は、実施の形態１に係るＯＬＴにおける選択・分配回路の内部構成を示す図である。
【図３】図３は、実施の形態１に係るＯＬＴにおける判定部による判定信号とＬＯＳ信号の関係を示す図である。
【図４】図４は、実施の形態１に係るＯＬＴにおける判定部の内部構成の一例を示す図である。
【図５】図５は、実施の形態１に係るＯＬＴにおける判定部の内部構成の別の一例を示す図である。
【図６】図６は、実施の形態２に係るＯＬＴにおける選択・分配回路の内部構成を示す図である。
【図７】図７は、実施の形態３に係るＯＬＴにおける選択・分配回路の内部構成を示す図である。
【図８】図８は、実施の形態４に係るＯＬＴにおける選択・分配回路の内部構成を示す図である。
【図９】図９は、従来のＧＥ−ＰＯＮシステムの構成例を示す図である。
【図１０】図１０は、従来のＧＥ−ＰＯＮシステムの別の構成例を示す図である。
【発明を実施するための形態】
【００２１】
以下、本発明の実施の形態について図を参照して説明する。
【００２２】
≪実施の形態１≫
図１は、実施の形態１に係る局側装置（ＯＬＴ）を備えた光伝送システムの構成を示す図である。
【００２３】
同図に示される光伝送システム１００は、例えばＦＴＴＨで利用される光通信システムであり、光通信網（ＰＯＮ）２０を介してＯＬＴ（局側装置：Ｏｐｔｉｃａｌ  Ｌｉｎｅ  Ｔｅｒｍｉｎａｌ）１に接続された複数のＯＮＵ（加入者側装置：Ｏｐｔｉｃａｌ  Ｎｅｔｗｏｒｋ  Ｕｎｉｔ）３を、ＯＬＴ１により上位装置（図示せず）と中継接続することにより、各ＯＮＵ３と上位装置との間でフレームを相互に転送する機能を有している。
光伝送システム１００では、ＯＬＴ１とＯＮＵ３との間については、ｎ（ｎ≧２：ｎは２以上の整数）個の光スプリッタ２＿１〜２＿ｎおよび光ファイバを介して光信号を送受信することによりフレーム通信を行い、ＯＬＴ１と上位装置との間については、例えばインターネットなどの上位ネットワーク（図示せず）を介してフレーム通信を行うものとなっている。
【００２４】
光通信網２０の具体例としては、ＩＥＥＥ  ８０２．３ａｈで標準化されているＧＥ−ＰＯＮやＩＥＥＥ８０２．３ａｖで標準化されている１０Ｇ−ＥＰＯＮなどのＰＯＮシステムがある。
【００２５】
ＯＮＵ３は、ユーザの宅内に設置される光回線終端装置である。具体的に、ＯＮＵ３は、ユーザのＰＣ等の端末装置から出力された電気信号を光信号に変換し、光スプリッタ２＿１〜２＿ｎを介してＯＬＴ１へ転送するとともに、光スプリッタ２＿１〜２＿ｎを介して受信したＯＬＴ１からの光信号を電気信号へ変換する。
【００２６】
光スプリッタ２＿１〜２＿ｎ（以下、総称する場合には「光スプリッタ２」と表記する。）は、ＯＮＵ３とＯＬＴ１との間に光伝送路を形成する。光スプリッタ２は、入力された複数の光信号を結合して出力するともに、結合された光信号を分岐させて出力する光デバイスである。
【００２７】
ＯＬＴ１は、光接続サービスを提供する局側に設置される光回線終端装置であり、光伝送路を形成する光スプリッタ２を介して接続された複数のＯＮＵ３と上位装置（図示せず）との間でフレームの転送処理を行う。例えば、ＯＬＴ１は、ＯＮＵ３から光スプリッタ２を介して送信された光信号を上位装置（例えば、インターネット等のネットワーク）へ転送する一方、上記上位装置から送信された電気信号を光信号に変換し、光スプリッタ２を介してＯＮＵ３へ転送する。また、ＯＬＴ１は、ＯＬＴ１とＯＮＵ３との間の区間ＰＯＮにおける光通信やＯＮＵ３等の監視や制御も行う。
【００２８】
図１に示されるように、ＯＬＴ１は、光トランシーバ１１＿１〜１１＿ｎと、ＰＯＮ制御回路１２と、選択・分配回路１３とから構成されている。
【００２９】
光トランシーバ１１＿１〜１１＿ｎ（以下、総称する場合には、「光トランシーバ１１」と称する。）は、光スプリッタ２＿１〜２＿ｎ毎に対応して設けられ、対応する光スプリッタ２を介して複数（最大３２個）のＯＮＵ３に接続されている。具体的には、図１に示されるように、一つの光スプリッタ２の一方側には、光伝送路を介してＯＬＴ１における１つの光トランシーバ１１が接続され、当該光スプリッタ２の他方側には、光伝送路ＰＯＮを介して複数（最大で３２台）のＯＮＵ３が共通に接続されている。これにより、ＯＬＴ１は、ｎ個の光トランシーバ１１＿１〜１１＿ｎおよびｎ個の光スプリッタ２＿１〜２＿ｎを介して、トータルで、最大（Ｎ×３２）台のＯＮＵ３が接続される。
【００３０】
光トランシーバ１１は、上位装置からＯＮＵ３へ送信すべき下りフレームに係る電気信号を光信号に変換する電気−光変換を行うとともに、ＯＮＵ３から上記装置等に送信すべき上りフレームに係る光信号を電気信号に変換する光−電気変換を行う。また、各光トランシーバ１１＿１〜１１＿ｎは、ＯＮＵ３から光信号が入力されているか否かを判定し、その判定結果に応じたＬＯＳ信号１４＿１〜１４＿ｎを夫々出力する。
【００３１】
ここで、ＬＯＳ信号１４＿１〜１４＿ｎ（総称する場合は「ＬＯＳ信号１４」と表記する。）とは、光トランシーバ１１に光信号が入力されているか否かを示す２値の信号である。なお、本明細書において、ＬＯＳ信号１４は、光トランシーバ１１に光信号が入力されていない場合に“１（ハイレベル）”となり、光信号が入力されている場合に“０（ローレベル）”となる負論理の信号であるものとして説明するが、後段の回路（論理）によっては、正論理の信号としてもよい。
【００３２】
ＰＯＮ制御回路１２は、上位ネットワークとの間で電気信号を送受信することにより、上位装置との間で上りフレームおよび下りフレームをやり取りする機能と、各ＯＮＵ３から異なる時刻に上りフレームが送信されるよう、これら各ＯＮＵ３に対して上りフレーム送信用の通信帯域を時分割で割り当てる機能とを有している。
【００３３】
選択・分配回路１３は、光トランシーバ１１＿１〜１１＿ｎの上りフレームから１つの上りフレームを選択してＰＯＮ制御回路１２に出力するとともに、ＰＯＮ制御回路１２から出力された下りフレームを光トランシーバ１１＿１〜１１＿ｎに対して出力する。
図２は、実施の形態１に係るＯＬＴにおける選択・分配回路１３の内部構成を示す図である。同図に示されるように、選択・分配回路１３は、判定部１５＿１〜１５＿ｎと、選択回路１７と、分配回路１８と、を含む。
【００３４】
判定部１５＿１〜１５＿ｎ（以下、総称する場合には「判定部１５」と表記する。）は、光トランシーバ１１＿１〜１１＿ｎ毎に対応して設けられ、対応する光トランシーバから出力されたＬＯＳ信号の論理値を判定する機能部である。具体的に、判定部１５＿１〜１５＿ｎは、対応するＬＯＳ信号１４の論理値が一定である状態が所定期間継続したか否かを判定し、当該ＬＯＳ信号の論理値が所定期間継続した場合に、その継続した論理値に対応する２値の判定信号１６＿１〜１６＿ｎ（総称する場合は、「判定信号１６」と表記する。）を夫々出力する回路である。例えば、判定部１５は、ＬＯＳ信号１４が所定期間“１”を出力した場合に論理値“１”の判定信号１６を出力し、ＬＯＳ信号１４が所定期間“０”を出力した場合に論理値“０”の判定信号を出力する。判定部１５の詳細については後述する。
【００３５】
分配回路１８は、ＰＯＮ制御回路１２から出力された下りフレームを各光トランシーバ１１に供給するための回路である。図２に示されるように、分配回路１８は、例えばバッファ回路ＢＦから構成されている。バッファ回路ＢＦは、ＰＯＮ制御回路１２から出力された下りフレームＴＸを入力し、入力した下りフレームＴＸを各光トランシーバ１１＿１〜１１＿ｎに対して共通に出力（分配）する。
【００３６】
選択回路１７は、判定部１５＿１〜１５＿ｎから出力された判定信号１６＿１〜１６＿ｎに基づいて、光トランシーバ１１＿１〜１１＿ｎの上りフレームから１つの光トランシーバの上りフレームを選択して出力するための回路である。具体的には、選択回路１７は、論理積回路（ＡＮＤ回路）１７０＿１〜１７０＿ｎと、ｎ入力の論理和回路（ＯＲ回路）１７１とを含む。
【００３７】
論理積回路（ＡＮＤ回路）１７０＿１〜１７０＿ｎは、光トランシーバ１１＿１〜１１＿ｎ毎に設けられ、対応する光トランシーバ１１から出力された上りフレームと、対応する判定信号１６＿１〜１６＿ｎの反転値との論理積を演算し、出力する。例えば、論理積回路１７０＿ｎは、光トランシーバ１１＿ｎから出力された上りフレームＲＸ＿ｎと、判定部１５＿ｎの判定信号１６＿ｎの反転値との論理積を演算し、出力する。
ここで、上述したように、ＬＯＳ信号１４は、光トランシーバ１１にスプリッタ２からの光信号が入力されているか否かを示す信号であり、光信号が入力されていない場合は“１”となり、光信号が入力されている場合は“０”となる。したがって、ＬＯＳ信号１４に対する判定信号１６も同様に、光信号が入力されていない場合は“１”となり、光信号が入力されている場合は“０”となる。
これにより、論理積回路１７０＿１〜１７０＿ｎは、入力された判定信号１６が“０（光信号あり）”の場合には、入力された上りフレームＲＸ＿１〜ＲＸ＿ｎを出力し、入力された判定信号１６が“１（光信号なし）”の場合には、入力された上りフレームの出力を停止し、“０”を出力する。
したがって、各論理積回路１７０＿１〜１７０＿ｎにより、対応する光トランシーバ１１＿１〜１１＿ｎから出力された上りフレームＲＸ＿１〜ＲＸ＿ｎが、判定信号１６＿１〜１６＿ｎでマスク（ゲーティング）されることになる。
【００３８】
論理和回路１７１は、各論理積回路１７０＿１〜１７０＿ｎから夫々出力されたｎ個の論理積値を入力し、それらの論理和を演算して出力する。
これにより、光トランシーバ１１＿１〜１１＿ｎのうち、光信号が入力されている光トランシーバ１１から出力された上りフレームが、各論理積回路１７０＿１〜１７０＿ｎを介して論理和回路１７１に入力され、その論理和が上りフレームＲＸとしてＰＯＮ制御回路１２に入力されることになる。
【００３９】
したがって、各上りフレーム出力ＲＸを正しく受信するためには、論理和回路１７１に対して、複数の光トランシーバ１１＿１〜１１＿ｎからの上りフレームＲＸ＿１〜ＲＸ＿ｎが同時に入力されないよう、各論理積回路１７０＿１〜１７０＿ｎでこれら上りフレームＲＸ＿１〜ＲＸ＿ｎを時分割でマスクする必要がある。
これについては、ＰＯＮ制御回路１２が、各光スプリッタ２を介してＯＬＴ１とセッションを接続確立している全てのＯＮＵ３に対して、同時に発光（上りフレーム送信）しないように、時分割制御することにより実現できる。
【００４０】
従来のＰＯＮシステムでは、１つの光スプリッタに接続されている複数のＯＮＵが同時に発光（上りフレーム送信）しないように、例えば動的帯域割当（ＤＢＡ：Ｄｙｎａｍｉｃ  Ｂａｎｄｗｉｄｔｈ  Ａｌｌｏｃａｔｉｏｎ）などのアルゴリズムにより、ＯＬＴが各ＯＮＵに対して上り帯域割当（ｇｒａｎｔ割当）を行うものとなっている。
【００４１】
本実施の形態のＯＬＴ１では、このようなアルゴリズムを応用して、ＰＯＮ制御回路１２において、ｎ個の光スプリッタ２＿１〜２＿ｎに接続されている最大ｎ×３２個のＯＮＵ３のうち、ＯＬＴ１とセッションを接続確立している全てのＯＮＵ３に対して、これらＯＮＵ３から異なる時刻に発光（上りフレーム送信）されるよう、上りフレーム送信用の通信帯域を時分割で割り当てる上り帯域割当（ｇｒａｎｔ割当）を行う。
これにより、各ＯＮＵ３のうち１台のＯＮＵ３だけが発光（上りフレーム送信）し、当該ＯＮＵ３を収容する１つの光トランシーバ１１からのＬＯＳ信号１４のみが“０”となる。
【００４２】
なお、新しいＯＮＵの接続の要求等に使用される制御用フレームである登録要求（Ｒｅｇｉｓｔｅｒ  Ｒｅｑｕｅｓｔ）フレームについては、ＩＥＥＥ規格で、複数のＯＮＵが同時に発光（上りフレーム送信）することを許容しているため、登録要求（Ｒｅｇｉｓｔｅｒ  Ｒｅｑｕｅｓｔ）フレームの送信が許可されている期間（Ｄｉｓｃｏｖｅｒｙ  Ｗｉｎｄｏｗ）については、複数の光トランシーバ１１のＬＯＳ信号１４が同時に０になる可能性が有り、同時に０になった場合にはＰＯＮ制御回路１２で登録要求（Ｒｅｇｉｓｔｅｒ  Ｒｅｑｕｅｓｔ）フレームを正常に受信できないことがある。
【００４３】
しかし、登録要求（Ｒｅｇｉｓｔｅｒ  Ｒｅｑｕｅｓｔ）フレームの送信が許可されている期間（Ｄｉｓｃｏｖｅｒｙ  Ｗｉｎｄｏｗ）については、従来のＰＯＮシステムでも、同じ光スプリッタに接続されている複数のＯＮＵが同時に登録要求（Ｒｅｇｉｓｔｅｒ  Ｒｅｑｕｅｓｔ）フレームを送信する可能性があり、そのような場合、ＯＬＴは正常受信できない登録要求（Ｒｅｇｉｓｔｅｒ  Ｒｅｑｕｅｓｔ）フレームを無視（破棄）して良いという仕様となっている。本実施の形態のＯＬＴ１においても、ＰＯＮ制御回路１２において正常受信できない登録要求（Ｒｅｇｉｓｔｅｒ  Ｒｅｑｕｅｓｔ）フレームを無視（破棄）して良いという仕様とする。
【００４４】
以上のようにＯＬＴ１を構成することにより、光トランシーバ１１として従来のＰＯＮシステムと同様のものを用いた場合、本実施の形態に係るＯＬＴ１は、最大で“ｎ×３２”台のＯＮＵ３との通信が可能となる。例えば、ｎ＝４の場合は最大１２８台、ｎ＝１６の場合は最大５１２台のＯＮＵ３との通信が可能となる。すなわち、ＯＬＴ１によれば、ＯＮＵ１台あたりのシステムコストを従来のＰＯＮシステムよりも小さくすることが可能となる。
【００４５】
次に、判定部１５について詳細に説明する。
前述したように、判定部１５は、対応するＬＯＳ信号１４の論理値が一定である状態が所定期間継続したか否かを判定し、当該ＬＯＳ信号の論理値が所定期間継続した場合に、その継続した論理値に対応する２値の判定信号１６を出力するものである。
【００４６】
図３は、判定部による判定信号とＬＯＳ信号の関係を示す図である。
図３に示すように、判定部１５は、ＬＯＳ信号１４が“１”である状態が期間Ｔｄｒ以上継続したら、ＬＯＳ信号１４の信号レベル（論理値）が“１”であると判定し、判定信号１６を“１”とする。また、判定部１５は、ＬＯＳ信号１４が“０”である状態が期間Ｔｄｆ以上継続したら、ＬＯＳ信号１４の信号レベル（論理値）が“０”であると判定し、判定信号１６を“０”とする。
【００４７】
一方、図３に示すように、ＬＯＳ信号が“０”である状態において、期間Ｔｄｒよりも短い期間ｔ１だけＬＯＳ信号１４が“１”となった場合には、判定部１５は、ＬＯＳ信号１４の信号レベル（論理値）が“０”である状態が維持されていると判定し、論理値が“０”の判定信号１６を出力し続ける。また、図３に示すように、ＬＯＳ信号が“１”である状態において、期間Ｔｄｆよりも短い期間ｔ２だけＬＯＳ信号１４が“０”となった場合には、判定部１５は、ＬＯＳ信号１４の信号レベル（論理値）が“１”である状態が維持されていると判定し、論理値が“１”の判定信号１６を出力し続ける。
【００４８】
これによれば、ＬＯＳ信号１４の短時間（Ｔｄｒ、Ｔｄｆ以下の時間）の変動が後段の論理積回路１７０に伝達されないので、ノイズ等によるＬＯＳ信号１４の変動によって引き起こされる上りフレーム転送時の誤動作を防ぐことが可能となる。
【００４９】
次に、判定部１５を実現するための具体的な回路構成について説明する。
図４は、実施の形態１に係るＯＬＴにおける判定部１５の内部構成の一例を示す図である。
同図では、判定部１５ＡがＬＯＳ信号１４＿１の判定を行う判定回路１５＿１である場合を一例として示しているが、判定部１５Ａは、その他のＬＯＳ信号１４＿２〜１４＿ｎの判定を行う判定回路１５＿２〜１５＿ｎにも同様に適用することができる。
【００５０】
図４に示される判定部１５Ａは、例えば、反転回路（インバータ）１５０、Ｄフリップフロップ回路（ＤＦＦ）１５１〜１５３、カウンタ（ＣＮＴＲ）１５４、１５５、閾値判定部１５６、１５７、およびＲＳフリップフロップ回路（ＲＳＦＦ）１５８から構成されている。
【００５１】
カウンタ１５４は、ＬＯＳ信号１４＿１が“０”である期間をカウントする。一方、カウンタ１５５は、ＬＯＳ１４＿１が“１”である期間をカウントする。例えば、ＬＯＳ信号１４＿１が“０”である場合、カウンタ１５５はリセット状態（カウント値“０”を出力）となる一方、カウンタ１５４はクロック信号ＣＬＫによってカウントアップ動作を行う。また、ＬＯＳ信号１４＿１が“１”である場合、カウンタ１５４はリセット状態（カウント値“０”を出力）となる一方、カウンタ１５５はクロック信号ＣＬＫによってカウントアップ動作を行う。
【００５２】
閾値判定部１５６は、カウンタ１５４のカウント値が、上述した期間Ｔｄｆに対応する閾値よりも小さい場合に“０”を出力し、カウンタ１５４のカウント値が期間Ｔｄｆに対応する閾値よりも大きい場合に“１”を出力する。また、閾値判定部１５７は、カウンタ１５５のカウント値が、上述した期間Ｔｄｒに対応する閾値よりも小さい場合に“０”を出力し、カウンタ１５５のカウント値が期間Ｔｄｒに対応する閾値よりも大きい場合に“１”を出力する。
【００５３】
ＲＳＦＦ１５８は、閾値判定部１５６の出力信号をＲ（リセット）端子に入力し、閾値判定部１５７の出力信号をＳ（セット）端子に入力する。これによれば、閾値判定部１５６の出力信号（Ｒ端子）が“０”である状態で、閾値判定部１５７の出力信号（Ｓ端子）が“１”となった場合には、ＲＳＦＦ１５８から“１”が出力され、閾値判定部１５６の出力信号（Ｒ端子）が“１”となった場合には、ＲＳＦＦ１５８から“０”が出力され、その他の場合には、その前の出力値が維持される。これにより、ＬＯＳ信号１４の論理値がＴｄｒ、Ｔｄｆよりも長い期間安定した場合に、その論理値に対応する判定信号１６が生成される。
【００５４】
また、判定部１５は、図５に示す回路によって実現することも可能である。
図５は、実施の形態１に係るＯＬＴにおける判定部１５の内部構成の別の一例を示す図である。
同図に示される判定部１５Ｂは、当該判定部以外の判定信号の少なくとも一つが“０（光信号あり）”である場合に、“１（光信号なし）”の判定信号を出力し、当該判定部以外の判定信号の全てが“１（光信号なし）”である場合に、ＬＯＳ信号の判定結果に応じた論理値の判定信号を出力するものである。
【００５５】
具体的に、判定部１５Ｂは、上記の判定部１５Ａの機能部に加えて、論理積回路１５９、１６０を更に備えている。
論理積回路１６０は、その判定部１５Ｂ以外の判定部１５Ｂから出力された判定信号１６を入力し、入力した判定信号１６の論理積を演算して出力する。例えば、光トランシーバ１１＿１に対応する判定部１５Ｂ＿１における論理積回路１６０は、その他の光トランシーバ１１＿２〜１１＿ｎに対応する判定部１５Ｂ＿２〜１５Ｂ＿ｎから出力された判定信号１６＿２〜１６＿ｎを入力し、それら全ての判定信号１６＿２〜１６＿ｎの論理積を演算して出力する。論理積回路１５９は、閾値判定部１５６の出力信号と論理積回路１６０の出力信号との論理積を演算し、その演算結果をＲＳＦＦ１５８のＲ端子に出力する。
【００５６】
判定部１５Ｂによれば、当該判定部１５Ｂ以外のその他の判定部１５Ｂから出力された全ての判定信号１６が“１”である場合のみ、当該判定部１５Ｂの判定信号１６の“１”から“０”への切り替わりが許容される。これにより、ＬＯＳ信号１４＿１〜１４＿ｎに対応する夫々の判定信号１６＿１〜１６＿ｎが複数同時に“０”となることを防止できる。
例えば、光トランシーバ１１＿２〜１１＿ｎに対応する判定信号１６＿２〜１６＿ｎの少なくとも１つが“０（光信号あり）”を出力している場合に、光トランシーバ１１＿１に対応するＬＯＳ信号１４＿１が期間Ｔｄｆよりも長い期間“０（光信号あり）”となったとしても、光トランシーバ１１＿１に対応する判定信号１６＿１は“０”にならない。その後、他の光トランシーバ１１＿２〜１１＿ｎに対応する全ての判定信号１６＿２〜１６＿ｎが“１（光信号なし）”となった場合、光トランシーバ１１＿１に対応する判定信号１６＿１が“０（光信号あり）”となる。
【００５７】
なお、閾値としての期間Ｔｄｒと期間Ｔｄｆとは同じ値である必要はなく、異なる値としてもよい。例えば、Ｔｄｒ＞Ｔｄｆとなるように、閾値判定部１５６、１５７の閾値を設定することにより、“０（光信号あり）”を出力している判定信号１６が“１（光信号なし）”となり難くなるので、光トランシーバ１１による光信号の出力時の通信の安定性を更に高めることができる。また、逆に、Ｔｄｒ＜Ｔｄｆとし、判定信号１６が“０（光信号あり）”となり難くなるようにしてもよい。
【００５８】
以上、実施の形態１に係るＯＬＴによれば、ＬＯＳ信号の論理値が継続する期間に基づいてその論理値を判定し、その判定結果（判定信号）に基づいて光トランシーバからの上りフレームを選択するので、ＬＯＳ信号そのものに基づいて光トランシーバからの上りフレームを選択する場合に比べて、ノイズ等によるＬＯＳ信号の変動によって引き起こされる上りフレーム転送時の誤動作を防ぐことが可能となる。
【００５９】
また、ＬＯＳ信号１４の論理値を判定するための判定部を図４に示す回路（判定部１５Ａ）によって実現することにより、期間Ｔｄｒ、Ｔｄｆよりも短い時間のＬＯＳ信号１４の変動の影響を受けない判定信号１６を容易に生成することができる。
【００６０】
また、ＬＯＳ信号１４の論理値を判定するための判定部を図５に示す回路（判定部１５Ｂ）によって実現することにより、図４に示した判定部１５Ａと同様に、期間Ｔｄｒ、Ｔｄｆよりも短い時間のＬＯＳ信号１４の変動の影響を受けない判定信号１６を生成することができ、且つ判定信号１６が複数同時に“０（光信号あり）”となることを防止することが可能となる。
【００６１】
≪実施の形態２≫
図６は、実施の形態２に係るＯＬＴの内部構成を示す図である。
同図に示される選択・分配回路２３は、実施の形態１に係るＯＬＴにおける選択・分配回路１３と、選択回路の内部構成が相違し、その他の構成は選択・分配回路１３と同様である。
【００６２】
なお、図６において、実施の形態１に係るＯＬＴにおける選択・分配回路１３と同様の構成要素には同一の符号を付し、その詳細な説明を省略する。また、図６には、選択・分配回路２３における選択回路２７とそれに接続される周辺回路のみが図示され、ＰＯＮ制御回路１２から出力された下りフレームを分配する分配回路１８については、図示を省略している。また、図６には、ｎ＝８の場合が一例として図示されているが、ｎの値に特に制限はない。
【００６３】
具体的に、選択・分配回路２３は、上記の選択回路１７の代わりに選択回路２７を備える。選択回路２７は、セレクタ（Ｓｅｌ）２７０＿１〜２７０＿７と、論理積回路２７１〜２７４とを用いて構成され、前述の選択回路１７と同様の論理を実現している。すなわち、選択回路２７は、判定部１５＿１〜１５＿ｎからの判定信号１６＿１〜１６＿ｎに基づいて、光トランシーバ１１＿１〜１１＿８の上りフレームの中から一つの光トランシーバ１１の上りフレームを選択し、上りフレームＲＸとしてＰＯＮ制御回路１２に与える。
【００６４】
なお、選択・分配回路２３における判定部１５としては、選択・分配回路１３と同様に、図４に示した回路（判定部１５Ａ）や図５に示した回路（判定部１５Ｂ）を適用することができる。
【００６５】
選択回路２７において、例えば、光トランシーバ１１＿５のＬＯＳ信号のみが“０”の場合、すなわち光トランシーバ１１＿５以外の光トランシーバ１１＿１〜１１＿４、１１＿６〜１１＿８の判定信号１６＿１〜１６＿４、１６＿６〜１６＿８が“１”の場合、光トランシーバ１１＿５から出力された上りフレームが、セレクタ２７０＿３、２７０＿６、２７０＿７を介してＰＯＮ制御回路１２に入力される。また、例えば、光トランシーバ１１＿４のＬＯＳ出力のみが“０”の場合、セレクタ２７０＿２、２７０＿５、２７０＿７が、“０”側の入力端子に入力された信号を選択して出力する。これにより、光トランシーバ１１＿４から出力された上りフレームが、セレクタ２７０＿２、２７０＿５、２７０＿７を通過して、ＰＯＮ制御回路１２に入力される。
【００６６】
また、その他の光トランシーバ１１＿１〜１１＿３、１１＿６〜１１＿８の中で１個の光トランシーバの判定信号（ＬＯＳ信号）のみが“０”になった場合も、一部のセクタが“０”側の入力端子に入力された信号を選択して出力することにより、判定信号が“０”となっている光トランシーバの出力がＰＯＮ制御回路１２に対して入力される。
【００６７】
以上、実施の形態２に係るＯＬＴの選択・分配回路２３によれば、実施の形態１に係るＯＬＴの選択・分配回路１３と同様に、ＬＯＳ信号そのものではなく、ＬＯＳ信号の論理値が継続する期間に基づいて判定した判定信号に基づいて、光トランシーバ１１からの上りフレームを選択するので、ノイズ等によるＬＯＳ信号の変動によって引き起こされる上りフレーム転送時の誤動作を防ぐことが可能となる。
【００６８】
≪実施の形態３≫
図７は、実施の形態３に係るＯＬＴにおける選択・分配回路の内部構成を示す図である。同図に示されるＯＬＴ４は、１０Ｇ−ＥＰＯＮシステムに対応したＯＬＴであり、以下の（１）および（２）を考慮した構成を有している。
（１）１０Ｇ−ＥＰＯＮ用の光トランシーバは、上りフレーム出力として、１０Ｇｂｉｔ／ｓの上りフレームと１Ｇｂｉｔ／ｓの上りフレームの２つを持っている場合があること。
（２）１０Ｇ−ＥＰＯＮ用のＯＮＵとＧＥ−ＰＯＮ用のＯＮＵの両方を同じＯＬＴに接続する場合、ＰＯＮ制御回路は、下りフレーム出力として、１０Ｇｂｉｔ／ｓの下りフレームと１Ｇｂｉｔ／ｓの下りフレームの２つを持ち、両方の下りフレームを全ての光トランシーバに対して出力（分配）する必要があること。
【００６９】
すなわち、実施の形態３に係るＯＬＴ４を構成する光トランシーバ４１＿１〜４１＿ｎ、ＰＯＮ制御回路４２、および選択・分配回路４３は、上記（１）および（２）を考慮し、以下のように構成されている。
【００７０】
光トランシーバ４１＿１〜４１＿ｎ（総称する場合は、「光トランシーバ４１」と表記する。）は、上りフレームの出力ポートとして、１０Ｇｂｉｔ／ｓ用の出力ポートと、１Ｇｂｉｔ／ｓ用の出力ポートとを備えるとともに、下りフレームの入力ポートとして、１０Ｇｂｉｔ／ｓ用の入力ポートと、１Ｇｂｉｔ／ｓ用の入力ポートとを備えている。
【００７１】
ＰＯＮ制御回路４２は、１０Ｇｂｉｔ／ｓと１Ｇｂｉｔ／ｓの両方の上りフレーム入力に対応した構成を有するとともに、下りフレームの出力ポートとして、１０Ｇｂｉｔ／ｓ用の出力ポートと、１Ｇｂｉｔ／ｓ用の出力ポートとを備えている。また、ＰＯＮ制御回路４２は、上り帯域割当時に、１０Ｇｂｉｔ／ｓでのフレーム送信を許可するのか、１Ｇｂｉｔ／ｓでのフレーム送信を許可するのかを決定し、その結果を選択信号Ｓ１０Ｇ＿１Ｇとして選択・分配回路４３に出力する。
【００７２】
選択・分配回路４３は、判定部１５＿１〜１５＿ｎと、セレクタＳＬ＿１〜ＳＬ＿ｎと、選択回路４７と、分配回路４８とから構成されている。
【００７３】
選択・分配回路４３において、セレクタＳＬ＿１〜ＳＬ＿ｎは、ＰＯＮ制御回路４２からの選択信号Ｓ１０Ｇ＿１Ｇを受けて、光トランシーバ４１＿１〜４１＿ｎの上りフレーム出力として、それらの光トランシーバ４１＿１〜４１＿ｎの１０Ｇｂｉｔ／ｓ用の出力ポートおよび１Ｇｂｉｔ／ｓ用の出力ポートの何れか一方の出力ポートからの上りフレームを選択し、選択回路４７に与える。
【００７４】
選択回路４７は、論理積回路４７０＿１〜４７０＿ｎと論理和回路４７１とから構成されている。論理積回路４７０＿１は、光トランシーバ４１＿１〜４１＿ｎ毎に設けられ、対応するセレクタＳＬ（光トランシーバ４１）から出力された上りフレームと、対応する判定部１５の判定信号１６の反転値との論理積を演算し、出力する。
【００７５】
論理和回路４７１は、各論理積回路４７０＿１〜４７０＿ｎから夫々出力されたｎ個の論理積値を入力し、それらの論理和を演算し、上りフレームデータＲＸとしてＰＯＮ制御回路４２に与える。
【００７６】
分配回路４８は、バッファ回路ＢＦ＿１とバッファ回路ＢＦ＿２とから構成されている。バッファ回路ＢＦ＿１は、ＰＯＮ制御回路４２の１Ｇｂｉｔ／ｓ用の出力ポートからの下りフレーム（１０Ｇｂｉｔ／ｓの下りフレーム）ＴＸ＿１Ｇを入力し、光トランシーバ４１＿１〜４１＿ｎの１Ｇｂｉｔ／ｓ用の入力ポートに対して分配する。また、バッファ回路ＢＦ＿２は、ＰＯＮ制御回路４２の１０Ｇｂｉｔ／ｓ用の出力ポートからの下りフレーム（１０Ｇｂｉｔ／ｓの下りフレーム）ＴＸ＿１０Ｇを入力し、光トランシーバ４１＿１〜４１＿ｎの１０Ｇｂｉｔ／ｓ用の入力ポートに対して分配する。
【００７７】
以上、実施の形態３に係るＯＬＴによれば、実施の形態１に係るＯＬＴと同様に、ＬＯＳ信号そのものではなく、ＬＯＳ信号の論理値が継続する期間に基づいて判定した判定信号に基づいて、光トランシーバからの上りフレームを選択するので、１０Ｇ−ＥＰＯＮシステムにおいてもノイズ等によるＬＯＳ信号の変動によって引き起こされる上りフレーム転送時の誤動作を防ぐことが可能となる。
【００７８】
≪実施の形態４≫
図８は、実施の形態４に係るＯＬＴにおける選択・分配回路の内部構成を示す図である。
同図に示されるＯＬＴ５は、１０Ｇ−ＥＰＯＮシステムに対応したＯＬＴの別の一例である。なお、実施の形態４に係るＯＬＴ５において、実施の形態３に係るＯＬＴ４と同様の構成要素には同一の符号を付して、その詳細な説明を省略する。
【００７９】
ＯＬＴ５は、光トランシーバ４１＿１〜４１＿ｎ、ＰＯＮ制御回路５２、および選択・分配回路５３を備えている。
【００８０】
ＰＯＮ制御回路５２は、１０Ｇｂｉｔ／ｓと１Ｇｂｉｔ／ｓの両方の上りフレーム入力に対応した構成を有するとともに、下りフレームの出力ポートとして、１０Ｇｂｉｔ／ｓ用の出力ポートと、１Ｇｂｉｔ／ｓ用の出力ポートとを備えている。
【００８１】
選択・分配回路５３は、判定部１５＿１〜１５＿ｎと、ＲＸ＿１０Ｇ用選択回路５３０と、ＲＸ＿１Ｇ用選択回路５３１と、分配回路４８とから構成されている。
【００８２】
選択・分配回路５３において、ＲＸ＿１０Ｇ用選択回路５３０は、前述の選択回路１７（図２参照）や選択回路２７（図６参照）と同様の回路構成を有する。具体的には、ＲＸ＿１０Ｇ用選択回路５３０は、判定信号１６＿１〜１６＿ｎに基づいて、光トランシーバ４１＿１〜４１＿ｎの夫々の１０Ｇｂｉｔ／ｓ用の出力ポートから出力された１０Ｇｂｉｔ／ｓの上りフレームＲＸ＿１０Ｇ＿１〜ＲＸ＿１０Ｇ＿ｎの中から１つの光トランシーバ４１の上りフレームを選択して、ＰＯＮ制御回路５２の１０Ｇｂｉｔ／ｓ用の入力ポートへ送る。
【００８３】
また、ＲＸ＿１Ｇ用選択回路５３１は、ＲＸ＿１０Ｇ用選択回路５３０と同様の構成を有する。具体的には、ＲＸ＿１Ｇ用選択回路５３１は、判定信号１６＿１〜１６＿ｎに基づいて、光トランシーバ４１＿１〜４１＿ｎの夫々の１Ｇｂｉｔ／ｓ用の出力ポートから出力された１Ｇｂｉｔ／ｓの上りフレームＲＸ＿１Ｇ＿１〜ＲＸ＿１Ｇ＿ｎの中から１つの光トランシーバ４１の上りフレームを選択して、ＰＯＮ制御回路５２の１Ｇｂｉｔ／ｓ用の入力ポートへ送る。
【００８４】
また、バッファ回路ＢＦ＿１とバッファ回路ＢＦ＿２とから成る分配回路４８は、実施の形態３に係るＯＬＴ４と同様である。すなわち、バッファ回路ＢＦ＿１は、ＰＯＮ制御回路５２の１Ｇｂｉｔ／ｓ用の出力ポートからの下りフレーム（１０Ｇｂｉｔ／ｓの下りフレーム）ＴＸ＿１Ｇを入力し、光トランシーバ４１＿１〜４１＿ｎの１Ｇｂｉｔ／ｓ用の入力ポートに対して分配する。また、バッファ回路ＢＦ＿２は、ＰＯＮ制御回路５２の１０Ｇｂｉｔ／ｓ用の出力ポートからの下りフレーム（１０Ｇｂｉｔ／ｓの下りフレーム）ＴＸ＿１０Ｇを入力し、光トランシーバ４１＿１〜４１＿ｎの１０Ｇｂｉｔ／ｓ用の入力ポートに対して分配する。
【００８５】
以上、実施の形態４に係るＯＬＴによれば、実施の形態３に係るＯＬＴと同様に、ＬＯＳ信号そのものではなく、ＬＯＳ信号の論理値が継続する期間に基づいて判定した判定信号に基づいて、光トランシーバからの上りフレームを選択するので、１０Ｇ−ＥＰＯＮシステムにおいてもノイズ等によるＬＯＳ信号の変動によって引き起こされる上りフレーム転送時の誤動作を防ぐことが可能となる。
【００８６】
以上、本発明者らによってなされた発明を実施の形態に基づいて具体的に説明したが、本発明はそれに限定されるものではなく、その要旨を逸脱しない範囲において種々変更可能であることは言うまでもない。
【００８７】
例えば、上記実施の形態では、光伝送システム１００が、光通信網２０としてＧＥ−ＰＯＮや１０Ｇ−ＥＰＯＮを用いたＧＥ−ＰＯＮシステムや１０Ｇ−ＥＰＯＮシステムからなる場合を例として説明したが、これらに限定されるものではなく、他の光通信網を用いた光伝送システムに適用することも可能である。
【符号の説明】
【００８８】
１００…光伝送システム、１，４，５…ＯＬＴ、２＿１〜２＿ｎ…光スプリッタ、３…ＯＮＵ、１１，１１＿１〜１１＿ｎ，４１，４１＿１〜４１＿ｎ…光トランシーバ、１２，４２，５２…ＰＯＮ制御回路、１３，２３，４３，５３…選択・分配回路、１４，１４＿１〜１４＿ｎ…ＬＯＳ信号、１５，１５＿１〜１５＿ｎ…判定部、１６，１６＿１〜１６＿ｎ…判定信号、１７，２７，４７，５３０，５３１…選択回路、１８，４８…分配回路、Ｔｄｒ…ハイレベル判定の閾値（期間）、Ｔｄｆ…ローレベル判定の閾値（期間）、２０…光通信網（ＰＯＮ）。
【図１】
0006267145.tif 000002
【図２】
0006267145.tif 000003
【図３】
0006267145.tif 000004
【図４】
0006267145.tif 000005
【図５】
0006267145.tif 000006
【図６】
0006267145.tif 000007
【図７】
0006267145.tif 000008
【図８】
0006267145.tif 000009
【図９】
0006267145.tif 000010
【図１０】
0006267145.tif 000011